(57)【要約】      （修正有）【課題】マスク面部から着脱可能な充填材にアロマ抗菌機能を持たせて長期間使用可能なアロマ抗菌マスクを提供する。【解決手段】アロマ抗菌マスクのマスク本体３は外面部７と内面部９が重ね合され、ポケットが形成されたマスク面部５を備える。そこに、香気性の天然木材、例えばヒノキを鉋でスライスした極薄片１９を積層させて一か所で止め具２３により止着した充填材を入れる。アロマ抗菌マスクを着用すると、着用者の呼吸により排出された水分が充填材を湿らせることにより、香気成分が揮発してアロマ抗菌機能が発現する。マスク本体は使い捨てタイプでも洗って繰り返し使用するタイプでも、充填材を取り出せるので、充填材の寿命まで使い切ることができる。また、着用前に充填材が消耗することはない。【選択図】図３
0003226786.tif 000002
【実用新案登録請求の範囲】
【請求項１】
口許及び鼻を覆うマスクであって、基布が重ね合され、一辺縁を残して残りの三辺縁が連なって、前記一辺縁を開口とするポケットが形成されたマスク面部と、前記マスク面部の左右両側に設けられ左右の耳にそれぞれ係止される耳掛け部を備えたマスク本体と、
香気性の天然木材製で、薄板状の柔らかい充填材を備え、
前記充填材を前記マスク面部のポケットに入れて着用すると、着用者の呼吸により排出された水分が前記充填材を湿らせることにより、香気成分が揮発してそのアロマ抗菌機能が発現することを特徴とするアロマ抗菌マスク。
【請求項２】
請求項１に記載したアロマ抗菌マスクにおいて、
充填材は厚さが０．１ｍｍ以下の極薄片が複数積層されてなることを特徴とするアロマ抗菌マスク。
【請求項３】
請求項２に記載したアロマ抗菌マスクにおいて、
極薄片が５〜１０枚積層されていることを特徴とするアロマ抗菌マスク。
【請求項４】
請求項３に記載したアロマ抗菌マスクにおいて、
極薄片は揃えられ、スポット的に一か所で止着されて一体化されていることを特徴とするアロマ抗菌マスク。
【請求項５】
請求項４に記載したアロマ抗菌マスクにおいて、
極薄片には多数の針孔があけられていることを特徴とするアロマ抗菌マスク。
【請求項６】
請求項１から５のいずれかに記載したアロマ抗菌マスクにおいて、
マスク面部には充填材をポケット内に保持する保持手段が設けられていることを特徴とするアロマ抗菌マスク。
【請求項７】
請求項６に記載したアロマ抗菌マスクにおいて、
マスク本体は使い捨てタイプになっており、保持手段は折返しフラップで構成されていることを特徴とするアロマ抗菌マスク。
【請求項８】
請求項６に記載したアロマ抗菌マスクにおいて、
マスク本体は繰り返し使用タイプになっており、保持手段はファスナであることを特徴とするアロマ抗菌マスク。
【考案の詳細な説明】
【技術分野】
【０００１】
本考案は、口許及び鼻を覆うように着用するマスクに関するものである。
【背景技術】
【０００２】
家庭用のマスクは、日常生活で使用されるものであり、呼吸の際に外部からの埃や塵、花粉、細菌、ウイルス等の吸入を防いだり、風邪や感染者のくしゃみや咳で、ウイルスを含んだ分泌物を外部に広く撒き散らして他人を感染させたりするのを防ぐ目的で、口許及び鼻を覆うように着用する。
最近では、抗菌性をより高めるために、マスクの口許及び鼻を覆うマスク面部に抗菌処理をしたものが提案されている。
【先行技術文献】
【特許文献】
【０００３】
【特許文献１】特開２０１１−１６７２２６号公報
【考案の概要】
【考案が解決しようとする課題】
【０００４】
例えば、特許文献１では、マスク面部に銀系無機抗菌剤を保持させたものが記載されている。
しかしながら、使い捨て用のマスクとして使用するとなると、かなり割高になるのは否めない。マスク面部をガーゼで構成する場合には洗って繰り返し使用ができるが、洗うことで抗菌剤が取れてしまう。しかも、この種の抗菌剤による抗菌効果は出荷後に徐々に落ちていくことから、使い捨てタイプ、繰り返し使用タイプいずれでも、実際に購入して使用するときに、どの程度の抗菌効果があるかは不明である。
【０００５】
本考案は上記従来の問題点に着目して為されたものであり、マスク面部から着脱可能な充填材にアロマ抗菌機能を持たせたアロマ抗菌マスクの提供を、その目的とする。
【課題を解決するための手段】
【０００６】
本考案は、上記目的を達成するために為されたものであり、請求項１の考案は、口許及び鼻を覆うマスクであって、基布が重ね合され、一辺縁を残して残りの三辺縁が連なって、前記一辺縁を開口とするポケットが形成されたマスク面部と、前記マスク面部の左右両側に設けられ左右の耳にそれぞれ係止される耳掛け部を備えたマスク本体と、香気性の天然木材製で、薄板状の柔らかい充填材を備え、前記充填材を前記マスク面部のポケットに入れて着用すると、着用者の呼吸により排出された水分が前記充填材を湿らせることにより、香気成分が揮発してそのアロマ抗菌機能が発現することを特徴とするアロマ抗菌マスクである。
【０００７】
請求項２の考案は、請求項１に記載したアロマ抗菌マスクにおいて、充填材は厚さが０．１ｍｍ以下の極薄片が複数積層されてなることを特徴とするアロマ抗菌マスクである。
【０００８】
請求項３の考案は、請求項２に記載したアロマ抗菌マスクにおいて、極薄片が５〜１０枚積層されていることを特徴とするアロマ抗菌マスクである。
【０００９】
請求項４の考案は、請求項３に記載したアロマ抗菌マスクにおいて、極薄片は揃えられ、スポット的に一か所で止着されて一体化されていることを特徴とするアロマ抗菌マスクである。
【００１０】
請求項５の考案は、請求項４に記載したアロマ抗菌マスクにおいて、極薄片には多数の針孔があけられていることを特徴とするアロマ抗菌マスクである。
【００１１】
請求項６の考案は、請求項１から５のいずれかに記載したアロマ抗菌マスクにおいて、マスク面部には充填材をポケット内に保持する保持手段が設けられていることを特徴とするアロマ抗菌マスクである。
【００１２】
請求項７の考案は、請求項６に記載したアロマ抗菌マスクにおいて、マスク本体は使い捨てタイプになっており、保持手段は折返しフラップで構成されていることを特徴とするアロマ抗菌マスクである。
【００１３】
請求項８の考案は、請求項６に記載したアロマ抗菌マスクにおいて、マスク本体は繰り返し使用タイプになっており、保持手段はファスナであることを特徴とするアロマ抗菌マスクである。
【考案の効果】
【００１４】
本考案のアロマ抗菌マスクによれば、マスク面部から着脱可能な充填材にアロマ抗菌機能を持たせたので、使い捨てタイプでは使い終わったマスクから取り外して新しいマスクに装着することで、当該充填材をその寿命まで使い切ることができる。また、繰り返し使用タイプでは、充填材を取り外してマスクを洗い、洗い終わった後に再びそのマスクに装着することで、同様に、当該充填材をその寿命まで使い切ることができる。
しかも、当該充填材は、天然木材を素材としているので、使用開始時からアロマ抗菌機能が発現していくので、使用開始前に既にアロマ抗菌機能が落ちているようなことはない。
【図面の簡単な説明】
【００１５】
【図１】本考案の第１の実施の形態に係る使い捨てタイプの（内折込み式）アロマ抗菌マスクの表面図である。
【図２】図１のＡ−Ａ断面図である。
【図３】図１の充填材の収容方法の説明図である。
【図４】図３の充填材の斜視図である。
【図５】図１のアロマ抗菌マスクの着用状態のイメージ図である。
【図６】抗菌効果の発現のイメージ的グラフである。
【図７】第２の実施の形態に係る使い捨てタイプの（外折包み式）アロマ抗菌マスクの断面図である。
【図８】第３の実施の形態に係る繰り返し使用タイプのアロマ抗菌マスクの断面図である。
【考案を実施するための形態】
【００１６】
以下、本考案の実施の形態について図を参照して説明する。
図１〜図３は、本考案の第１の実施の形態に係る使い捨てタイプの（内折込み式）アロマ抗菌マスク１を示す。
このアロマ抗菌マスク１のマスク本体３の主部をなすマスク面部５は矩形状の基布である外面部７と内面部９とが重ね合され、それぞれの左右と下側の辺縁がシール接合により一体化されており、横長の長方形状になっている。残りの上側の辺縁は未シールで開口しており、この開口をポケット口として外面部７と内面部９との間を収容空間１１とするポケットが形成されている。なお、外面部７と内面部９はいずれもプリーツ状になっており、プリーツを上下に広げるとマスク面部５が拡大する。図１では、プリーツ７ａが見えている。
【００１７】
内面部９の上辺縁に沿って幅狭のフラップ１３が連設されており、この幅狭フラップ１３は、内面部９との境界を折り線部として収容空間１１の内部に折り込まれるようになっている。
マスク面部５を構成する外面部７、内面部９、幅狭フラップ１３は共に、従来から使い捨てタイプ用に慣用されている不織布で構成され、シール接合も常法による。
【００１８】
また、マスク面部５の左右両端側には耳掛け部１５、１５がそれぞれ設けられている。耳掛け部１５は紐状部材で構成されており、その両端がマスク面部５の上下端よりでそれぞれシール止着されてループ状になっている。
このように、このアロマ抗菌マスク１は既存の使い捨てタイプのマスクと同様な素材で同様な形状に成形されている。
【００１９】
しかしながら、マスク面部５にポケットが形成され、その収容空間１１に充填材１７が収容されて充填状態にあることが、既存品と異なる特徴になっている。
充填材１７は、ヒノキ、スギ、ヒバ等の香気性の天然木材を鉋で薄くスライスした長方形の極薄片１９、１９、……が複数枚重ね合され積層されたものになっている。この実施の形態では、極薄片１９は６枚積層されている。極薄片１９は１枚当たりの厚さが０．１ｍｍ以下となっており、全部が積層されても、合計での厚さが０．５〜１ｍｍ以内に収まるようになっている。極薄片１９には微細な針孔２１、２１、……が多数あけられており、一枚当たり、１００以上が目安になっている。この針孔２１、２１、……は通気孔になっており、多数の針が突設された剣山状の用具を極薄片１９に押し付けて針入することにより形成されている。なお、図では、一部に針孔２１、２１、……が示されているが、これは描画上の便宜のためであり、実際には極薄片１９の全面にわたって万遍なく、針孔２１、２１、……が形成されている。
【００２０】
極薄片１９、１９、……はそれぞれの辺縁が揃えられて積層されており、１つの角隅部が止め具２３によりスポット的に止着されて一体化している。止め具２３は、ホッチキスの針である。なお、針は金属製であり、安全面を考慮すれば樹脂製や木材製に代替できることが好ましいが、現在のところホッチキス針は金属製に限られていること、ホッチキスに匹敵する止め易いものが無いこと、針が殆ど突出せず邪魔にならないことから、上記のようになっている。従って、止め具２３としての機能を全うできるものが出てきた場合には、それに代替できることは言うまでもなく、むしろ推奨される。
【００２１】
図３に示すように、充填材１７を、マスク面部５のポケットの収容空間１１に開口から差し込んで収容すると、マスク面部５の内部が充填材１７で充填された状態となる。充填材１７を収容した後に、幅狭フラップ１３を収容空間１１の内部に充填材１７を包んだ状態で折り込むと、図２に示すように充填材１７が収容空間１１から飛び出さないように保持される。
極薄片１９は極薄故に柔らかく、しかも、角隅部の一か所でのみ他の極薄片１９、１９……とまとめて止められているので、図４に示すように、個々の極薄片１９は止め具２３を支点として湾曲したり、隣り合う極薄片１９、１９どうしの辺縁を揃えた状態からずらしたり、隣り合う極薄片１９、１９どうしの間隔をあけたりすることがある程度は可能になっている。
【００２２】
従って、図５に示すように、着用してマスク面部５のプリーツ７ａを上下に広げようとしたときにも充填材１７が柔軟に動いて着用者にフィットした状態で口許と鼻を覆うことができる。
【００２３】
そして、着用後は、着用者の呼吸により、排出された温かい水分が充填材１７を湿らすので、香気成分が揮発して香気成分が有するアロマ抗菌機能が発現して抗菌効果を享受することができる。また、リラックス効果、消臭効果、抗アレルギー効果も同時に享受することができる。
充填材１７は、使用開始時からアロマ抗菌機能が発現していくので、使用開始前に既にアロマ抗菌機能が落ちているようなことはない。
温かい水分の方が冷えた水分よりも香気成分を揮発させ易く、都合の良いことに、通常の呼吸で排出される水分は適度に温かくなっている。また、アロマ抗菌マスク１を着用した際には、口許及び鼻はマスク本体３で覆われており、密閉空間に近い空間で充填材１７が呼吸で排出された温かい水分で湿らされることになり、温かい水分が逃げずにかつ冷やされずに無駄なく充填材１７を湿らすのに使用される。
【００２４】
特にヒノキについては、以下の表に示す抗菌効果が確認されており、この抗菌効果の発現傾向から、既存のマスクの抗菌効果の発現傾向と比較すると、図６に示すようなグラフイメージになる。
【表１】
0003226786.tif 000003
【００２５】
マスク本体３は使い捨てになっているが、充填材１７を取り出して、別の新しいマスク本体３に収容することで、充填材１７をその寿命まで使い切ることができる。「寿命」が来たとは極薄片１９が破損したり、経時的に香気成分の揮発が無くなったような場合を意味しており、主観的に判断される。
なお、極薄片１９の湿りが不十分と感じた場合には、取り出して霧吹き等をして水分を補充することも可能である。この際にも、加温した適度に温めた水を利用することが推奨される。香気成分の揮発を効率良く促すことができるからである。
また、極薄片１９に湾曲癖が付いたような場合でも、取り出して湿らせば癖が取れて真っすぐに戻る。
【００２６】
図１〜図３は、（内折込み式）になっているが、本考案の第２の実施の形態として、（外折包み式）のアロマ抗菌マスク２５も考えられる。
図１と同様な表面になっているが、図７の断面図に示すように、外面部７の上辺縁に沿って幅広のフラップ２７が連設されており、この幅広フラップ２７は、外面部７との境界を折り線部として内面部９を包んで折り返されるようになっている。
このようなタイプでも、充填材１７を収容空間１１に安定的に保持することができる。
【００２７】
次に、本考案の第３の実施の形態に係る繰り返し使用タイプのアロマ抗菌マスク２９を示す。
このアロマ抗菌マスク２９のマスク面部は、ガーゼ素材で構成されている。折り畳まれ縫製されて横長の長方形状になっており、外面部３１と内面部３３は上側の辺縁だけが開口しており、この開口をポケット口として外面部３１と内面部３３との間を収容空間１１とするポケットが形成されている。この収容空間１１に、充填材１７が収容される。
外面部３１と内面部３３のそれぞれの開口付近には、対向面側に細いテープ状の面ファスナ３５が取り付けられている。外面部３１側はループ面に、内面部３３側はフック面になっており、互いに押し付け合うと、ループがフックに掛止されて貼り付くようになっている。
マスク面部の左右両端側には耳掛け部がそれぞれ設けられている。耳掛け部は紐状部材で構成されており、その両端がマスク面部の上下端よりでそれぞれシール止着されてループ状になっている。
【００２８】
なお、面ファスナ３５に代えて、線ファスナを取り付けてもよい。その場合には、内側の務歯が固定されたテープを外面部３１と内面部３３のそれぞれの対向面に縫着すると共に、いずれかの務歯にスライダを取り付けておく。
【００２９】
ガーゼ素材、紐状部材は慣用的なものであり、縫製も常法による。
ガーゼ素材は柔らかいので、プリーツ７ａを付けた不織布で構成したマスク面部５と同様に着用者にフィットした状態で口許と鼻を覆うことができる。
フィルタ効果等は不織布、ガーゼにより異なることから、目的に応じて使い分けることになるが、アロマ抗菌効果については、どちらのタイプにしても十分享受することができる。また、充填材１７も共用できる。
【００３０】
以上、本考案の実施の形態について詳述してきたが、具体的構成は、上記の各実施の形態に限定されるものではなく、本考案の趣旨を逸脱しない範囲における設計の変更があっても考案に含まれる。
例えば、開口は上側に限定されず、横側でもよい。
使い捨てタイプでもプリーツ無しでもよいし、中間にフィルタ層を設けてもよい。フィルタ層を設けるときには、フィルタ層と内面部との間に充填材を収容するのが好ましい。
繰り返し使用タイプでもプリーツをつけてもよい。
【００３１】
最後になるが、本考案は、特許第５９９３３１０号（本願の考案者の一人が発明者になっている）の「枕」と同様に、加湿によりヒノキ等の香気成分を揮発して香気成分を利用することを特徴としているが、「マスク」としての用途の特性から、呼吸により排出される水分をそのまま利用できる。もちろん、湿り気が足りないときには霧吹き等により加湿することも可能である。それ故、本考案は、ヒノキ等の香気成分を有する天然木材の特性を十分に把握した上になされた画期的なものであると言える。
【符号の説明】
【００３２】
１…使い捨てタイプの（内折込み式）アロマ抗菌マスク
３…マスク本体      ５…マスク面部        ７…外面部            ７ａ…プリーツ
９…内面部        １１…収容空間        １３…幅狭フラップ    １５…耳掛け部
１７…充填材        １９…極薄片          ２１…針孔            ２３…止め具
２５…使い捨てタイプの（外折包み式）アロマ抗菌マスク
２７…幅広フラップ
２９…繰り返し使用タイプのアロマ抗菌マスク
３１…外面部        ３３…内面部          ３５…面ファスナ
【図１】
0003226786.tif 000004
【図２】
0003226786.tif 000005
【図３】
0003226786.tif 000006
【図４】
0003226786.tif 000007
【図５】
0003226786.tif 000008
【図６】
0003226786.tif 000009
【図７】
0003226786.tif 000010
【図８】
0003226786.tif 000011